(57)【特許請求の範囲】
【請求項１】
吸込口及び吹出口を有するケーシングと、
前記ケーシング内において、冷媒と空気との熱交換を行う室外熱交換器と、
回転可能な羽根を有し、前記吸込口から前記室外熱交換器を通過して吹出口に至る前記空気の流れを形成する室外ファンと、
前記空気の流れ方向において前記室外熱交換器の下流側に設けられ、前記室外ファンを支持するモーターサポートとを備え、
前記室外熱交換器は、前記室外熱交換器を水平断面視又は垂直断面視において、複数の熱交換器である熱交換部を略波形状又は略ジグザグ状となるように配置し、隣接する前記熱交換部の間を接続する接続部を有して構成し、
前記モーターサポートは、前記空気の流れに直交するように前記ケーシング内に固定される複数の支柱と、前記複数の支柱に固定されて前記室外ファンを支持する支持部とを有し、前記複数の支柱は、前記羽根との間の距離を拡げる屈曲部を有し、また、前記室外熱交換器との接触防止用の第二の屈曲部が前記支柱に設けられている室外ユニット。
【請求項２】
前記モーターサポートの前記屈曲部は、
前記空気の流れ方向に対し、前記室外熱交換器の前記モーターサポート側の前記接続部の位置よりも下流側に位置する請求項１に記載の室外ユニット。
【請求項３】
吸込口及び吹出口を有するケーシングと、
前記ケーシング内において、冷媒と空気との熱交換を行う室外熱交換器と、
回転可能な羽根を有し、前記吸込口から前記室外熱交換器を通過して吹出口に至る前記空気の流れを形成する室外ファンと、
前記空気の流れ方向において前記室外熱交換器の下流側に設けられ、前記室外ファンを支持するモーターサポートとを備え、
前記室外熱交換器は、前記室外熱交換器を水平断面視又は垂直断面視において、複数の熱交換器である熱交換部を略波形状又は略ジグザグ状となるように配置し、隣接する前記熱交換部の間を接続する接続部を有して構成し、
前記モーターサポートは、前記空気の流れに直交するように前記ケーシング内に固定される複数の支柱と、前記複数の支柱に固定されて前記室外ファンを支持する支持部とを有し、前記複数の支柱は、前記羽根との間の距離を拡げる屈曲部を有し、
該屈曲部は、前記室外熱交換器の前記モーターサポート側の前記接続部において、前記室外熱交換器と接している室外ユニット。
【請求項４】
吸込口及び吹出口を有するケーシングと、
前記ケーシング内において、冷媒と空気との熱交換を行う室外熱交換器と、
回転可能な羽根を有し、前記吸込口から前記室外熱交換器を通過して吹出口に至る前記空気の流れを形成する室外ファンと、
前記空気の流れ方向において前記室外熱交換器の下流側に設けられ、前記室外ファンを支持するモーターサポートとを備え、
前記室外熱交換器は、前記室外熱交換器を水平断面視又は垂直断面視において、複数の熱交換器である熱交換部を略波形状又は略ジグザグ状となるように配置し、隣接する前記熱交換部の間を接続する接続部を有して構成し、
前記モーターサポートは、前記空気の流れに直交するように前記ケーシング内に固定される複数の支柱と、前記複数の支柱に固定されて前記室外ファンを支持する支持部とを有し、前記複数の支柱は、前記羽根との間の距離を拡げる屈曲部を有し、
該屈曲部は、前記空気の流れ方向に対し、前記室外熱交換器の前記モーターサポート側の前記接続部の位置よりも上流側に位置する室外ユニット。
【請求項５】
吸込口及び吹出口を有するケーシングと、
前記ケーシング内において、冷媒と空気との熱交換を行う室外熱交換器と、
回転可能な羽根を有し、前記吸込口から前記室外熱交換器を通過して吹出口に至る前記空気の流れを形成する室外ファンと、
前記空気の流れ方向において前記室外熱交換器の下流側に設けられ、前記室外ファンを支持するモーターサポートとを備え、
前記室外熱交換器は、前記室外熱交換器を水平断面視又は垂直断面視において、複数の熱交換器である熱交換部を略波形状又は略ジグザグ状となるように配置し、隣接する前記熱交換部の間を接続する接続部を有して構成し、
前記モーターサポートは、前記空気の流れに直交するように前記ケーシング内に固定される複数の支柱と、前記複数の支柱に固定されて前記室外ファンを支持する支持部とを有し、前記複数の支柱は、前記羽根との間の距離を拡げる屈曲部を有し、
前記室外ファンは、
円筒形状のボス及び当該ボスに取り付けられ、回転軸を中心に回転して気体の流れを発生させる複数の前記羽根を有する羽根車と、
前記ボスに接続され、駆動して前記羽根車を回転軸を中心に回転させるモーターと、
内周側端部が前記ボスに接続された内周羽根と、
前記内周羽根の外周側端部に接続される中間リングと、
内周側端部が前記中間リングに接続された外周羽根とを有し、
前記モーターの少なくとも一部が前記ボス内の空間に配置され、
前記中間リングは、前記複数の支柱との対向間隔と略同一の径となるように形成され、前記複数の支柱に対向配置されている室外ユニット。
【請求項６】
前記室外ファンは、
前記羽根の径方向において前記中間リングよりも外側に設けられ、隣接する前記外周羽根間を接続する外周リングをさらに有する請求項５に記載の室外ユニット。
【請求項７】
前記室外熱交換器は、前記垂直断面視したときに略波形状又は略ジグザグ状に配置されており、
前記複数の支柱は、上端側が前記ケーシングの外郭上部に固定され、下端側が前記ケーシングの外郭下部において固定されている請求項１〜６のいずれか一項に記載の室外ユニット。
【請求項８】
前記ケーシング内において、前記室外熱交換器、前記モーターサポート及び前記室外ファンを設置する側の空間と少なくとも圧縮機を設置する側の空間とを区画する仕切板をさらに備え、
前記室外熱交換器は、前記水平断面視したときに略波形状又は略ジグザグ状に配置されており、
前記複数の支柱は、一端側が前記ケーシングの側面上部に固定され、他端側が前記仕切板において固定されている請求項１〜６のいずれか一項に記載の室外ユニット。
【請求項９】
前記室外熱交換器は、前記モーターサポート側と反対側において配管接続する前記接続部が、前記吸込口側に位置するように設けられている請求項１〜８のいずれか一項に記載の室外ユニット。
【請求項１０】
前記室外熱交換器は、
所定の間隔を介して略水平方向に並んだ複数のフィンと、
該複数のフィンを貫通し、冷媒が流れる伝熱管と
を有する請求項１〜９のいずれか一項に記載の室外ユニット。
【請求項１１】
前記室外熱交換器は、
所定の間隔を介して略垂直方向に並んだ複数のフィンと、
該複数のフィンを貫通し、冷媒が流れる伝熱管と
を有する請求項１〜９のいずれか一項に記載の室外ユニット。
【請求項１２】
請求項１〜１１のいずれか一項に記載の室外ユニットと、
室内熱交換器を有する室内ユニットとを配管接続して冷媒回路を構成する空気調和装置。
【発明の詳細な説明】
【技術分野】
【０００１】
本発明は、たとえば冷凍サイクル装置において室外側に設置する室外ユニットなどに関するものである。
【背景技術】
【０００２】
空気調和装置などにおいて、室外側に設置する室外ユニットには、たとえば、室外熱交換器、室外熱交換器に空気を供給するファン、冷媒を圧縮する圧縮機などの機器を箱状のケーシング（筐体）に搭載しているものが各種提案されている。室外ユニットは、冷媒配管を介して室内熱交換器などが搭載される室内ユニットと接続しており、室外ユニットから室内ユニットの室内熱交換器などに冷媒を供給し、空調対象空間の冷暖房を可能としている。【０００３】
このような従来の空気調和装置の室外ユニットには、室外熱交換器における空気と冷媒との熱交換量を向上させるため、ケーシング内における室外熱交換器の実装体積を増加させたものが提案されている（たとえば、特許文献１参照）。【０００４】
例えば、特許文献１に記載の技術は、ケーシングの側面のうちの複数の面に対してケーシング内外を連通するようにケーシングを構成し、当該複数の面に沿うような形状（水平断面視した形状が略Ｍ字形状）に室外熱交換器を構成している。
【先行技術文献】
【特許文献】
【０００５】
【特許文献１】特開２０００−５５４０９号公報（たとえば、図１、図４参照）
【発明の概要】
【発明が解決しようとする課題】
【０００６】
特許文献１に記載の室外ユニットにおいて、例えばユニットサイズを大きくすることなく、室外熱交換器の熱交換量を増加させるその他の方法として、室外熱交換器の「厚み」となる、フィンの空気流れ方向に平行な方向における幅を大きくして、室外熱交換器の実装体積を大きくする方法が考えられる。【０００７】
しかしながら、室外熱交換器の空気流れ方向の下流側ほど空気と冷媒との温度差は小さくなるため、厚みの増加とともに熱交換効率が低下し、結果として熱交換量の増加もそれほど見込むことができない可能性がある。【０００８】
また、室外熱交換器の通風抵抗及びファン入力については、室外熱交換器の厚さにほぼ比例して増加する。このため、室外熱交換器の厚さを増加させて実装体積を増加しても、通風抵抗が大きくなる分、熱交換量が減少し、厚みを増大させたことに見合うだけの熱交換量の増加を期待できない可能性がある。【０００９】
ここで、室外熱交換器の厚みを増加させると通風抵抗が増加することに対応して、ファン入力を増加させる方法も考えられる。しかし、室外熱交換器を通過する空気の速度を大きくすると、通風抵抗が大きくなることから、さらに余分にファン入力を増加させる必要があり、その分室外ユニットの消費電力が大きくなってしまう可能性があった。【００１０】
本発明は、以上のような課題を解決するためになされたもので、「ケーシングのサイズに対し、室外熱交換器の熱交換量をより高効率に増加させる」ことを実現する室外ユニット及び空気調和装置を提供することを目的としている。
【課題を解決するための手段】
【００１１】
本発明に係る室外ユニットは、吸込口及び吹出口を有するケーシングと、ケーシング内において、冷媒と空気との熱交換を行う室外熱交換器と、回転可能な羽根を有し、吸込口から室外熱交換器を通過して吹出口に至る空気の流れを形成する室外ファンと、空気の流れ方向において室外熱交換器の下流側に設けられ、室外ファンを支持するモーターサポートとを備え、室外熱交換器は、室外熱交換器を水平断面視又は垂直断面視において、複数の熱交換器である熱交換部を略波形状又は略ジグザグ状となるように配置し、隣接する熱交換部の間を接続する接続部を有して構成し、モーターサポートは、空気の流れに直交するようにケーシング内に固定される複数の支柱と、複数の支柱に固定されて室外ファンを支持する支持部とを有し、複数の支柱は、羽根との間の距離を拡げる屈曲部を有し、また、室外熱交換器との接触防止用の第二の屈曲部が支柱に設けられているものである。
【発明の効果】
【００１２】
本発明に係る室外ユニットによれば、複数の熱交換部を波形状又はジグザグ状に配置され、複数の支柱において、室外ファンの羽根との距離を確保するために屈曲部を設けるようにしたので、騒音の抑制及び風量の増加をはかることができる。その結果、「ケーシングのサイズに対し、室外熱交換器の熱交換量を高効率に増加させる」ことができる。
【図面の簡単な説明】
【００１３】
【図１Ａ】本発明の実施の形態１に係る空気調和装置の室外ユニット５０の概要構成例を示す図（その１）である。
【図１Ｂ】本発明の実施の形態１に係る空気調和装置の室外ユニット５０の概要構成例を示す図（その２）である。
【図１Ｃ】本発明の実施の形態１に係る空気調和装置の室外ユニット５０の概要構成例を示す図（その３）である。
【図１Ｄ】本発明の実施の形態１に係る空気調和装置の室外ユニット５０の概要構成例を示す図（その４）である。
【図１Ｅ】本発明の実施の形態１に係る空気調和装置の室外ユニット５０の概要構成例を示す図（その５）である。
【図２】本発明の実施の形態１に係るファンモータ５及びモーターサポート３０の模式図である。
【図３Ａ】室外ファン４とモーターサポート３０の位置関係を示す拡大図（その１）である。
【図３Ｂ】室外ファン４とモーターサポート３０の位置関係を示す拡大図（その２）である。
【図４Ａ】実施の形態１の変形例を示す図（その１）である。
【図４Ｂ】実施の形態１の変形例を示す図（その２）である。
【図４Ｃ】実施の形態１の変形例を示す図（その３）である。
【図５Ａ】実施の形態１に係る変形例の別例を示す図（その１）である。
【図５Ｂ】実施の形態１に係る変形例の別例を示す図（その２）である。
【図６Ａ】本発明の実施の形態２に係る空気調和装置の室外ユニット５０の概要構成例を示す図（その１）である。
【図６Ｂ】本発明の実施の形態２に係る空気調和装置の室外ユニット５０の概要構成例を示す図（その２）である。
【図７Ａ】本発明の実施の形態３に係る空気調和装置の室外ユニット５０の概要構成例を示す図（その１）である。
【図７Ｂ】本発明の実施の形態３に係る空気調和装置の室外ユニット５０の概要構成例を示す図（その２）である。
【図８Ａ】本発明の実施の形態４に係る空気調和装置の室外ユニット５０の概要構成例を示す図（その１）である。
【図８Ｂ】本発明の実施の形態４に係る空気調和装置の室外ユニット５０の概要構成例を示す図（その２）である。
【図８Ｃ】本発明の実施の形態４に係る空気調和装置の室外ユニット５０の概要構成例を示す図（その３）である。
【図９Ａ】本発明の実施の形態５に係る空気調和装置の室外ユニット５０の概要構成例を示す図（その１）である。
【図９Ｂ】本発明の実施の形態５に係る空気調和装置の室外ユニット５０の概要構成例を示す図（その２）である。
【図１０Ａ】本発明の実施の形態６に係る空気調和装置の室外ユニット５０の概要構成例を示す図（その１）である。
【図１０Ｂ】本発明の実施の形態６に係る空気調和装置の室外ユニット５０の概要構成例を示す図（その２）である。
【図１１Ａ】本発明の実施の形態７に係る空気調和装置の室外ユニット５０の概要構成例を示す図（その１）である。
【図１１Ｂ】本発明の実施の形態７に係る空気調和装置の室外ユニット５０の概要構成例を示す図（その２）である。
【図１１Ｃ】本発明の実施の形態７に係る空気調和装置の室外ユニット５０の概要構成例を示す図（その３）である。
【図１１Ｄ】本発明の実施の形態７に係る空気調和装置の室外ユニット５０の概要構成例を示す図（その４）である。
【図１１Ｅ】本発明の実施の形態７に係る空気調和装置の室外ユニット５０の概要構成例を示す図（その５）である。
【図１２】本発明の実施の形態１に係るファンモータ５及びモーターサポート３０の模式図である。
【図１３Ａ】本発明の実施の形態８に係る空気調和装置の室外ユニット５０の概要構成例を示す図（その１）である。
【図１３Ｂ】本発明の実施の形態８に係る空気調和装置の室外ユニット５０の概要構成例を示す図（その２）である。
【図１３Ｃ】本発明の実施の形態８に係る空気調和装置の室外ユニット５０の概要構成例を示す図（その３）である。
【図１３Ｄ】本発明の実施の形態８に係る空気調和装置の室外ユニット５０の概要構成例を示す図（その４）である。
【図１４Ａ】実施の形態８に係る空気調和装置の室外ユニット５０の変形例を示す図（その１）である。
【図１４Ｂ】実施の形態８に係る空気調和装置の室外ユニット５０の変形例を示す図（その２）である。
【図１５】本発明の実施の形態９に係る空気調和装置の構成図である。
【発明を実施するための形態】
【００１４】
以下、本発明の実施の形態を図面に基づいて説明する。ここで、図１を含め、以下の図面において、同一の符号を付したものは、同一又はこれに相当するものであり、以下に記載する実施の形態の全文において共通することとする。そして、明細書全文に表わされている構成要素の形態は、あくまでも例示であって、明細書に記載された形態に限定するものではない。また、「垂直方向（垂直）」は、実質的に垂直方向であることを示しており、重力の方向と厳密に一致する方向を示すものではなく、重力の方向から若干傾いてもよいものである。また、「水平方向（水平）」は、実質的に水平方向であることを示しており、重力と直角に交わる方向と厳密に一致する方向を示すものではなく、重力と直角に交わる方向から若干傾いてもよいものである。
【００１５】
実施の形態１．
本実施の形態１に係る空気調和装置の室外ユニット５０は、室外ユニット５０内に搭載している室外熱交換器７及びモーターサポート３０に改良を加えたものである。そして、ケーシングのサイズを大きくすることなく、室外熱交換器の熱交換量を高効率に増加させることができるものである。
【００１６】
［構成説明］
図１Ａ〜図１Ｅは、本発明の実施の形態１に係る空気調和装置の室外ユニット５０の概要構成例を示す図である。図１Ａは、室外ユニット５０の正面図である。図１Ｂは、図１ＡのＡ−Ａ断面図である。図１Ｃは、室外ユニット５０の背面図（吸込口６側から見た図）である。図１Ｄは、左側側面図である。図１Ｅは図１ＢのＢ−Ｂ断面図である。ここで、図１Ｂに示す矢印は、室外ユニット５０を流れる空気の流れを示している。また、図１Ａ〜図１Ｅを含む以下の図面においては、ケーシング１内の構成を見やすくするために、本来、外観からは見えない部分についても図示している場合がある。
【００１７】
本実施の形態の室外ユニット５０は、外郭であるケーシング１内に、冷媒を圧縮する圧縮機９、空気を送風する室外ファン４及び室外ファン４を固定するモーターサポート３０を有している。また、冷房運転時には凝縮器として機能し、暖房運転時には蒸発器として機能する室外熱交換器７を有している。そして、室外熱交換器７及び室外ファン４側と圧縮機９側との間を仕切板８で仕切っている。
【００１８】
＜ケーシング１＞
ケーシング１は、室外ユニット５０外の空気を取り込むための吸込口６及び室外ユニット５０内から空気を放出させる吹出口２を有する箱状の外郭を形成する筐体である。ケーシング１内には、室外ファン４が駆動することによって吸込口６から流入した空気が室外熱交換器７及び室外ファン４を通って吹出口２へ流れる風路が形成される。
【００１９】
ケーシング１は、たとえば、ベース板１ａ、フロントパネル１ｂ、サイドパネル１ｃ、リアパネル１ｅ及び天板１ｄを有している。
【００２０】
ベース板１ａは、ケーシング１のうち、下面側（底面側）の外郭を構成する板である。ベース板１ａ上には、室外熱交換器７と圧縮機９とモーターサポート３０とが固定されている。また、ベース板１ａ上には、仕切板８が立設されている。仕切板８は、ケーシング１内に取り込まれた後に放出される空気が流れる室外熱交換器７及び室外ファン４側の空間と、圧縮機９などが設けられる側の空間（機械室１０）とを区画している。
【００２１】
フロントパネル１ｂは、ケーシング１のうち、室外ファン４が設けられている側（正面側）の外郭を構成するパネルである。フロントパネル１ｂには吹出口２が形成されている。フロントパネル１ｂのうちの前面外郭であって吹出口２の形成位置には、室外ファン４がモーターサポート３０を介して取り付けらいる。ここで、吹出口２の形成位置と室外ファン４の取付位置とは対向している。また、フロントパネル１ｂは、吹出口２の開口部分の周縁側において、吹出口２側から吸込口６側に向かって突出して形成されたベルマウス３を有している。
【００２２】
サイドパネル１ｃは、フロントパネル１ｂに対して略垂直にケーシング１の側面側の外郭を構成するパネルである。サイドパネル１ｃは、一方が室外熱交換器７側に設けられ、他方が圧縮機９側に設けられている。リアパネル１ｅはフロントパネル１ｂに対向する面側（背面側）に設けられ、圧縮機９側に設けられたサイドパネル１ｃと共に機械室１０を構成する。
【００２３】
天板１ｄは、ケーシング１のうち上面側の外郭を構成するものである。天板１ｄは、たとえばフロントパネル１ｂの上端側、サイドパネル１ｃの上端側、リアパネル１ｅの上端側などと固定されている。ここで、ケーシング１は、室外熱交換器７の上流側の面と対向する背面側が開放されており、この開放部分が吸込口６を構成している。
【００２４】
＜圧縮機９＞
圧縮機９は、冷媒を圧縮して吐出するものである。圧縮機９は、ベース板１ａ上であって仕切板８を介して室外熱交換器７及び室外ファン４側とは反対側の空間となる機械室１０に設けられている。
【００２５】
＜室外ファン４＞
室外ファン４は、吸込口６を介してケーシング１内に空気を強制的に取り込み、この取り込んだ空気を、室外熱交換器７に通過させて吹出口２から放出させる流れを形成するものである。室外ファン４は、ボス４ｂ及びボス４ｂの外周から突設された複数の羽根４ａを有する羽根車と、後述する図２で示すシャフト５ａを介してボス４ｂに接続され、この羽根車を回転させるファンモータ５とを有しているものである。
【００２６】
ボス４ｂは、略円板（円柱）状の部材であり、ファンモータ５の少なくとも一部が内部の空間に入り込んでいる。ボス４ｂは、シャフト５ａに接続されており、シャフト５ａの回転に伴って回転し、羽根４ａを回転させる。羽根４ａは、略円板状のボス４ｂの周縁側に接続されており、ボス４ｂの回転とともに、回転軸を中心に回転するものである。
【００２７】
ファンモータ５は、図示省略のコイルが巻き付けられた固定子及び固定子によって回転させられる回転子などを有する。シャフト５ａを回転させることで、羽根４ａを回転させ、ケーシング１内への空気の取り込み及び放出を可能とするものである。
【００２８】
ファンモータ５の回転子には、シャフト５ａの一端側が接続されている。ファンモータ５の空気流れ方向の上流側には、モーターサポート３０が設けられており、後述する支柱３０ａ及び支持部３０ｂによって、室外ファン４を固定する。シャフト５ａは、一端側がファンモータ５に接続され、他方側がボス４ｂに接続される棒状部材である。ファンモータ５の回転子の回転をボス４ｂ及び羽根４ａに伝達させるものである。
【００２９】
室外ファン４は、たとえば軸流ファンなどとするとよい。また、羽根４ａの回転軸に平行な方向の幅を狭くするとともに、羽根４ａの枚数を多くするとよい。たとえば、従来では３枚から４枚である羽根枚数を５枚以上にするとよい。これにより、室外ファン４が室外熱交換器７に空気を供給する能力を確保しながら、省スペース化を図ることができ、室外熱交換器７を設置することができるスペースを拡大することができる。したがって、室外ファン４側のスペースを室外熱交換器７に割くことができる分、室外熱交換器７の実装体積を増大させることができる。そして、ケーシング１のサイズを大きくすることなく、室外熱交換器７の熱交換量を高効率に増加させることができる。
【００３０】
＜室外熱交換器７＞
室外熱交換器７は、供給される空気と冷媒とを熱交換させる４つの熱交換部７ａ〜７ｄを有している。熱交換部７ａ〜７ｄは、熱交換器であり、接続部（後述する伝熱管折り曲げ部７２ｂ）において、伝熱管７２で接続されて室外熱交換器７を構成している。本実施の形態の熱交換部７ａ〜７ｄは、隣接する熱交換部間を伝熱管７２で接続し、垂直断面視した形状が略波形状（又はジグザグ状。以下同じ。また、以下、波形状には、略波形状である場合も含む）となるようにケーシング１内に配置されている。このような配置を行うことで、ケーシング１内に設けられる室外熱交換器７の実装体積を増大させることができ、熱交換量を増大させることができる。
【００３１】
また、室外熱交換器７は、垂直断面形状が波形状であることに対応して、室外熱交換器７の通風面積も増大している。このため、室外熱交換器７は、実装体積の増加に対応して増大する通風抵抗を抑制することが可能となっている。したがって、本実施の形態の室外ユニットにおいては、室外熱交換器７は、室外熱交換器７の実装体積の増大に伴ってファン入力を増大させても、室外熱交換器７の通風抵抗を抑制することができる分、ファン入力を低減することができる。さらに、室外熱交換器７は、実装体積及び通風面積が大きいが、垂直断面視した形状が波形状となっているため、コンパクトとなっている（ケーシング１内の占有体積を減らすことができる）。
【００３２】
このように、室外熱交換器７においては、ケーシング１のサイズを大きくすることなく、実装体積及び通風面積を大きくすることができるので、室外熱交換器７の熱交換量を高効率に増加させることができるようになっている。
【００３３】
熱交換部７ａは、室外熱交換器７のうちの上端部側を構成するものであり、熱交換部７ａを流れる空気（例えば図１Ｅの白抜き矢印）の上流側から下流側に向かって下方に傾斜するようにケーシング１内に設けられている。熱交換部７ａは、熱交換部７ｂに接続されている。また、熱交換部７ｂは、上端部側が熱交換部７ａに接続され、下端部側が熱交換部７ｃに接続されている。熱交換部７ｂは、下流側から上流側に向かって下方に傾斜するようにケーシング１内に設けられている。熱交換部７ｃは、上端部側が熱交換部７ｂに接続され、下端部側が熱交換部７ｄに接続されている。熱交換部７ｃは、熱交換部７ａと同様に、熱交換部７ａを流れる空気（図１Ｅの白抜き矢印）の上流側から下流側に向かって下方に傾斜するようにケーシング１内に設けられている。熱交換部７ｄは、室外熱交換器７のうちの下端部側を構成するものであり、熱交換部７ａを流れる空気（図１Ｅの白抜き矢印）の下流側から上流側に向かって下方に傾斜するようにケーシング１内に設けられている。熱交換部７ｄは、熱交換部７ｃに接続されている。
【００３４】
このように、室外熱交換器７は、熱交換器である４つの熱交換部７ａ〜７ｄを配置している。そして、室外熱交換器７は、熱交換部７ａと熱交換部７ｂとの接続箇所に対応する第１の折れ曲がり部と、熱交換部７ｂと熱交換部７ｃとの接続箇所に対応する第２の折れ曲がり部と、熱交換部７ｃと熱交換部７ｄとの接続箇所に対応する第３の折れ曲がり部とを有している。
また、熱交換部７ａ〜７ｄの室外ファン４側の端部側は、室外ファン４に近接し、室外熱交換器７の通風面積が十分大きくなるように配置されている。
【００３５】
熱交換部７ａ〜７ｄは、複数のフィン７１と伝熱管７２とで構成されている。フィン７１は、図１Ｂの紙面垂直方向（垂直から傾斜する方向）に伸びた短冊状の板で、紙面平行方向（水平方向）の伝熱管と共に、空気が流れるすきまが形成されるように一定の間隔を介して紙面平行方向（水平方向）に複数積層されている。このため、フィン７１間のすきまが空気の流れ方向と平行になっているため、空気は室外熱交換器７を通過する際に、移動しやすくなっている。このため、室外熱交換器７の通風抵抗がより低減し、ファン入力を低減することができる。
【００３６】
＜従来技術の熱交換器形状との相違点＞
たとえば、従来、水平断面視した形状が略Ｍ字形状に構成している室外熱交換器がある。このため、空気流れ方向に対してフィンが所定角度を形成する。一方、本実施の形態の室外熱交換器７では垂直断面視した形状が波形状となるように配置されている。フィン７１は図１Ｂ、図１Ｃなどにおいて、紙面平行方向（水平方向）に複数積層され、空気流れ方向に対してフィン７１が平行となるため、室外熱交換器７の通風抵抗を低減することができ、ファン入力を低減することができる。
【００３７】
＜モーターサポート３０＞
図２は本発明の実施の形態１に係るファンモータ５及びモーターサポート３０の模式図である。モーターサポート３０は、ケーシング１内において室外ファン４を支えるものである。本実施の形態のモーターサポート３０は、図２に示すように、２本の支柱３０ａと、この支柱３０ａに対して略直交するように設けられた２本の支持部３０ｂとを有している。ただ、本数は限定するものではなく、３本などにしてもよい。
【００３８】
支柱３０ａは、図２に示すように、ケーシング１のベース板１ａ側から天板１ｄ側にかけて、略垂直方向に延びるように設けられた直線棒状部材であり、支持部３０ｂを介して室外ファン４のファンモータ５を支持するものである。この支柱３０ａは、下端側がベース板１ａに固定され、上端側が天板１ｄなどに固定されている。また、支柱３０ａの断面形状（水平断面形状）は、図２に示すように、略四角形状となっている。また、支柱３０ａには屈曲部４０を有している。
【００３９】
図３Ａ及び図３Ｂは室外ファン４とモーターサポート３０の位置関係を示す拡大図である（図１Ｅの拡大図）。図３Ａ及び図３Ｂにおいて、矢印Ａに示すように、支柱３０ａにおいて、室外ファン４の羽根４ａの外周部と近接する部分を羽根４ａから離し（遠ざかるようにし）、所定以上の距離を保つようにするために屈曲部４０が設けられている。距離は例えば直径φ５００ｍｍの室外ファン４では約３０ｍｍ以上が望ましい。室外ファン４の直径が変わる場合は直系φ５００ｍｍと距離約３０ｍｍの比例関係を保てばよい。羽根４ａは回転速度が速くなる外周側がモーターサポート３０と近接する傾向にある。そして、回転する羽根４ａにモーターサポート３０が近接する場合、気流の干渉などによる乱れに起因する騒音が発生する場合がある。このため、本実施の形態のように、モーターサポート３０における羽根４ａの外周部と近接する部分を羽根４ａから離す（羽根４ａとモーターサポート３０との距離を確保する）ために屈曲部４０を設ける。したがって、騒音の発生を抑制することができ、風量を増加することができる。また、矢印Ｂについて、図３Ａは屈曲したモーターサポート３０が室外熱交換器７の室外ファン４側の端部側が伝熱管折り曲げ部７２ｂに干渉しない場合を示す。また、図３Ｂは屈曲したモーターサポート３０が室外熱交換器７の室外ファン４側の端部側が伝熱管折り曲げ部７２ｂに干渉する場合を示す。図３Ｂに示すように、室外熱交換器７の室外ファン４側の端部側が伝熱管折り曲げ部７２ｂに干渉するようにモーターサポート３０を配置させるとすることで、室外ユニット５０の筐体（ケーシング１）のコンパクト化をはかることができる。
【００４０】
図４Ａ〜図４Ｃは実施の形態１の変形例を示す図である。図４においては、矢印Ａに示すように、室外ファン４の羽根４ａの外周部と近接する支柱３０ａの部分を羽根４ａから離すようにするためにモーターサポート３０に屈曲部４０を２ヶ所設けたものである。屈曲部４０の位置と個数については、モーターサポート３０と羽根４ａの外周部もしくは熱交換器の伝熱管折り曲げ部７２ｂとの位置関係により、適時設定しても同様の効果が得られる。また、矢印Ｂについて、図４Ａは屈曲したモーターサポート３０が室外熱交換器７の室外ファン４側の端部側が伝熱管折り曲げ部７２ｂに干渉しない場合を示す。また、図４Ｂは屈曲したモーターサポート３０が室外熱交換器７の室外ファン４側の端部側が伝熱管折り曲げ部７２ｂに干渉する場合を示す。図４Ｂに示すようにモーターサポート３０を室外熱交換器７の室外ファン４側の端部側が伝熱管折り曲げ部７２ｂに干渉させる配置とすることで、室外機の筐体のコンパクト化をはかることができる。
【００４１】
また、図４Ｃは室外熱交換器７を８つの熱交換部で構成した場合を示す。図４Ｃでは一例として熱交換器の列数を２列とした場合を示している。この例のように屈曲部４０が室外熱交換器７の室外ファン４側の端部に一致する場合でも、屈曲部４０を熱交換部の伝熱管折り曲げ部７２ｂにあわせて設けることで、室外機の筐体のコンパクト化をはかることができる。
【００４２】
ここで、支柱３０ａの断面形状については、略四角形形状に限定されるものではなく、たとえば、円形、楕円形などとしてもよい。たとえば、支柱３０ａの断面形状として楕円形を採用する場合には、その長軸が空気流れ方向に対して平行となるように、支柱３０ａをケーシング１に設置するとよい。これにより、ケーシング１内の風路の通風抵抗のうち、モーターサポート３０が寄与する分を抑制することができる。また、断面形状は略四角形状のみならず、板を折り曲げて略コ字形などにしても良い。
【００４３】
また、支持部３０ｂは、図２に示すように、支柱３０ａに対して略直交するように設けられた直線棒状部材であり、室外ファン４のファンモータ５を支持するものである。この支持部３０ｂの一端側は、一方の支柱３０ａに固定され、支持部３０ｂの他端側は、他方の支持部３０ａに固定されている。また、支持部３０ｂの断面形状（縦断面形状）は、支柱３０ａと同様に、略四角形状となっている。また、支持部３０ｂの高さ位置は、吹出口２の形成位置に対応して設けられるファンモータ５の高さ位置に応じて決定される。たとえば、本実施の形態１では、支柱３０ａの全高に対する略中央の位置にファンモータ５が固定されるため、当該配置に対応して支持部３０ｂも支柱３０ａの全高に対する中央部の位置に固定されている。ここで、中央部とは、中央に限定されるものではなく、一定の幅を持っているものとする。以下の説明でも同様である。
【００４４】
図２において、図２の紙面上側の支持部３０ｂは、室外ファン４のシャフト５ａに対して上側となるように支柱３０ａに固定される。また、図２の紙面下側の支持部３０ｂは、シャフト５ａに対して下側となるように支柱３０ａに固定されている。そして、支持部３０ｂの中央部には、室外ファン４のファンモータ５が固定される。より詳細には、図２の紙面上側の支持部３０ｂの中央部には、ファンモータ５の上側が固定され、図２の紙面下側の支持部３０ｂの中央部には、ファンモータ５の下側が固定されている。このため、室外熱交換器７を通過した空気は、支柱３０ａ、支持部３０ｂ及びファンモータ５によって形成される空間を通過することができるようになっており、通風抵抗の低減を抑制することもできるようになっている。
【００４５】
ここで、図２では、支持部３０ｂの本数が２本である場合を例として示しているが、これに限定されるものではない。室外ファン４を確実に支持することができるのであれば、支持部３０ｂを１本としてもよい。逆に、支持部３０ｂが２本では足りない場合には、３本以上設けてもよい。又は、紙面上側と紙面下側の支持部３０ｂを一枚の面状の板などで構成してもよい。
【００４６】
支柱３０ａ及び支持部３０ｂを構成する素材については、コイルが巻かれた固定子及び回転子などを搭載して重量がかさむ室外ファン４を確実に支持することができるように、鉄系やアルミニウム系の金属で構成することが多い。本実施の形態ではボス４ｂの内部にファンモータ５が内臓されているのでシャフト５ａを短くすることができる。その結果、室外ファン４の重心をモーターサポート３０に近い位置にすることができる。したがって、支柱３０ａ及び支持部３０ｂにかかる力を抑制できるため、金属以外でもたとえば樹脂などで支柱３０ａ及び支持部３０ｂを構成してもよい。こうすることで重量の低減やコストの低減をはかることができる。
【００４７】
＜仕切板８＞
仕切板８は、室外熱交換器７及び室外ファン４などが設けられる側の空間と、圧縮機９などが設けられる側の空間（機械室１０）とを区画するものである。仕切板８は、一端側がケーシング１のうち吸込口６が形成されているリアパネル１ｅ側に固定され、他端側がケーシング１のフロントパネル１ｂ側に固定されている。図１などにおいては、仕切板８が、サイドパネル１ｃに対して略平行に設けられている場合を例として図示しているが、それに限定されるものではない。たとえば、仕切板８の一端側が、圧縮機９などの設けられている側に曲げられて形成され、風路を上流側もしくは下流側に拡大するように仕切板８を構成してもよい。
【００４８】
実施の形態１では、羽根４ａの径方向の長さを大きくして１台の室外ファン４で所定の風量を発生させるようにしている。これは、羽根４ａの径方向の長さを大きくして１台の室外ファン４で所定の風量を発生させることにより、室外ファン４を比較的低回転数で効率良く運転でき、また、騒音を抑制することができるからである。ただし、ケーシング１内に設置する室外ファン４の台数は１台に限定されるものではない。たとえば、室外熱交換器７の熱交換部７ａ〜７ｄの数の増加に応じて、すなわちケーシング１内を占める室外熱交換器７の体積（実装体積）の増加に応じて室外熱交換器７に供給する風量を増加させる場合がある。この場合には、ケーシング１に複数の室外ファン４を設けてもよい。
【００４９】
また、本実施の形態１では、４つの熱交換部７ａ〜７ｄを別体で構成して接続しているが、たとえば熱交換部を一体で製造後、上述の第１〜第３の折れ曲がり部に対応する部分で曲げて室外熱交換器７を構成してもよい。また、もともと波形状となるように一体で製造してもよい。
【００５０】
＜動作説明（空気の流れ）＞
次に、本実施の形態１に係る室外ユニット５０の動作について説明する。  図１Ｂにおいて白抜き矢印で空気の流れを示すように、室外ファン４により発生させる空気の流れは、吸込口６から、ベース板１ａ、フロントパネル１ｂ、サイドパネル１ｃ、リアパネル１ｅ及び天板１ｄで形成された風路に流入し、吹出口２から放出される。
このため、室外ファン４を駆動することにより、室外ユニット５０近傍の空気は、吸込口６から風路内に流入し、風路内に配置された室外熱交換器７のフィン７１、及びモーターサポート３０の支柱３０ａ、３０ｂを通過し、吹出口２から排出される。そして、空気が室外熱交換器７のフィン７１間を通る際、伝熱管７２を流れる冷媒と熱交換する。
【００５１】
ここで、図１Ｂ中の白抜き矢印からわかるように、本実施の形態１に係る室外ユニット５０においては、吸込口６から吸い込まれた空気は、ほぼ直線状に風路内を通過して室外ファン４から放出される。このため、風路内での圧力損失の多くは室外熱交換器７を通過する際に発生する。空気の曲がりや拡大・縮小などに起因する圧力損失（いわゆる形状損失）が抑制されている分、ファン入力の低減を図ることができる。また、本実施の形態１に係る室外ユニット５０においては、室外ファン４の回転軸に略平行に空気が流入するという、軸流ファンに適した流入条件となっている。このため、室外ファン４のファン効率が向上するとともに、乱れの少ない流れが室外ファン４に流入するので、騒音も低減することができる。
【００５２】
＜実施の形態１に係る室外ユニット５０の有する効果＞
以上のように、本実施の形態１に係る室外ユニット５０は、ケーシング１内に内蔵されている室外熱交換器７を熱交換部７ａ〜７ｄで構成し、熱交換部７ａ〜７ｄを波形状に配置するようにしたので、ユニットサイズを大きくすることなく室外熱交換器７の実装体積を増加させることができる。このため、室外ユニット５０は、ケーシング１のサイズを大きくすることなく、室外熱交換器７の熱交換量を高効率に増加させることが可能となっている。
【００５３】
また、本実施の形態１に係る室外ユニット５０は、室外熱交換器７を構成する熱交換部７ａ〜７ｄを波形状に配置しているため、室外熱交換器７に供給される空気を吸込む面積を十分大きく確保することができるようになっている。これにより、室外熱交換器７の通風抵抗が低減する分、ファン入力を低減させることができ、室外ユニット５０の消費電力を抑制することができる。
【００５４】
また、本実施の形態１に係る室外ユニット５０は、羽根４ａの外周部と近接するモーターサポート３０の部分が羽根４ａから離れるように屈曲部４０を配置しているため、騒音の発生を抑制することができる。これにより、風量を増加することができ、室外熱交換器７の熱交換量を高効率に増加させることが可能となっている。
より詳細には、室外熱交換器７が波形状となるようにして室外熱交換器７の体積増加をさせて高効率に熱交換量を増大させることができる。これと同時に、室外熱交換器７が波形状である分、通風面積が増加していること、及び、モーターサポート３０に屈曲部４０を設けたことによって、風量の増加がはかられているということである。
【００５５】
ケーシング１の側面のうちの複数の面に対してケーシング１内外を連通するようにケーシング１を構成し、当該複数の面に沿うような形状に室外熱交換器を構成した従来の室外ユニットと、本実施の形態１に係る室外ユニット５０とを比較すると、室外ユニット５０は次のような効果を奏する。ここで、以下では、室外熱交換器７の体積を、「積み幅長（フィン７１の積層方向において両端部に配置されたフィン７１間の距離）」×「フィン７１の長手方向長さ」×「フィン７１の短手方向長さ」と定義する。また、本実施の形態１のように、室外熱交換器７を複数の熱交換部７ａ〜７ｄで構成した場合、各熱交換部７ａ〜７ｄの体積の総和を室外熱交換器７の体積とする。
【００５６】
従来の室外ユニットと本実施の形態１に係る室外ユニット５０のユニットサイズを同じとし、両室外ユニットに内蔵される熱交換器の体積も同一と仮定した場合、本実施の形態１に係る室外ユニット５０は、各熱交換器のフィン７１の長手方向の長さの総和を従来の室外ユニットよりも長くすることができる。したがって、フィン７１の短手方向の長さ（室外熱交換器７の厚み）を薄くすることが可能となる。また、フィン７１の短手方向の長さと、フィン７１の短手方向に沿って配置される伝熱管の列数とは対応関係がある。このため、従来の室外ユニットと本実施の形態１に係る室外ユニット５０のユニットサイズを同じとし、両室外ユニットに内蔵される室外熱交換器の体積も同一と仮定した場合、本実施の形態１に係る室外ユニット５０は、伝熱管７２の列数を少なくすることも可能となる。
【００５７】
上述より、本実施の形態１に係る室外ユニット５０は、従来の室外ユニットと比べ、室外熱交換器７を効率良く動作させることができるので、ユニットサイズを大きくすることなく室外ユニット５０の性能を向上させることができる。すなわち、本実施の形態１に係る室外ユニット５０は、従来の室外ユニットと同等の熱交換効率を得ようとした場合、熱交換効率の向上分だけ室外熱交換器７の体積を削減できる。したがって、室外熱交換器７の体積の削減量の分だけ、材料コストを抑制することができる。
【００５８】
図５Ａ及び図５Ｂは実施の形態１に係る変形例の別例を示す図である。図１と同様の配置である図５Ｂと比較して、図５Ａでは空気の流れに対して室外熱交換器７の配置の向きを反転している。このように配置することで、ファンモータ５の空気流れの上流位置に室外熱交換器７の折り曲げ位置を配置することができる。室外熱交換器７に流入する空気は、室外熱交換器７の上流側から下流側に流れるため、伝熱管折り曲げ部７２ｂ近傍は、空気の流れが少なくなっている。すなわち、ファンモータ５は空気流れの少ない位置に対向配置されているので、ファンモータ５による通風抵抗の増加を抑制することができる。これにより、室外ファン４の入力の増加を抑制することができる。また、気流の干渉による乱れに起因する騒音の増加も抑制することができる。
【００５９】
実施の形態２．
図６Ａ及び図６Ｂは、本発明の実施の形態２に係る空気調和装置の室外ユニット５０の概要構成例を示す図である。実施の形態１では、室外熱交換器７を各々別体の４つの熱交換部７ａ〜７ｄで構成しているが、本実施の形態は室外熱交換器７を５つの熱交換部で構成している。図６Ａと図６Ｂとは流入する空気流れに対して熱交換器の折り曲げ方向が空気流れ方向に対して対称な配置となっている。本実施の形態に係る室外ユニット５０は、従来の室外ユニットと比べ、室外熱交換器７を効率よく動作させることができるので、ユニットサイズを大きくすることなく、熱交換器の実装量を増加でき、効率よく室外ユニット５０の性能を向上させることができる。
【００６０】
実施の形態３．
図７Ａ及び図７Ｂは、本発明の実施の形態３に係る空気調和装置の室外ユニット５０の概要構成例を示す図である。実施の形態１では、室外熱交換器７を各々別体の４つの熱交換部７ａ〜７ｄで構成しているが、本実施の形態は室外熱交換器７を６つの熱交換部で構成している。図７Ａと図７Ｂとは流入する空気流れに対して熱交換器の折り曲げ方向が空気流れ方向に対して対称な配置となっている。本実施の形態に係る室外ユニット５０は、従来の室外ユニットと比べ、室外熱交換器７を効率よく動作させることができるので、ユニットサイズを大きくすることなく、熱交換器の実装量を増加でき、効率よく室外ユニット５０の性能を向上させることができる。
【００６１】
実施の形態４．
図８Ａ〜図８Ｃは、本発明の実施の形態４に係る空気調和装置の室外ユニット５０の概要構成例を示す図である。実施の形態１では、室外熱交換器７を各々別体の４つの熱交換部７ａ〜７ｄで構成しているが、本実施の形態では室外熱交換器７を７つの熱交換部で構成している。本実施の形態に係る室外ユニット５０は、従来の室外ユニットと比べ、室外熱交換器７を効率よく動作させることができるので、ユニットサイズを大きくすることなく、熱交換器の実装量を増加でき、効率よく室外ユニット５０の性能を向上させることができる。
【００６２】
ここで、図８Ａと図８Ｃとは流入する空気流れに対して熱交換器の折り曲げ方向が空気流れ方向に対して対称な配置となっている。また、図８Ａに示すように、モーターサポート３０の上下方向の内、一方が、羽根４ａの外周部と近接するモーターサポート３０の部分が室外熱交換器７の伝熱管折り曲げ部７２ｂと干渉し、屈曲部４０が設けられない場合でも、少なくとも一方に屈曲部４０を設けることで同質の効果を得ることができる。
【００６３】
また、図８Ｂに示すように、モーターサポート３０の上下方向の内、一方が、羽根４ａの外周部と近接するモーターサポート３０の部分が室外熱交換器７の伝熱管折り曲げ部７２ｂと干渉し、屈曲部４０が設けられない場合では、モーターサポート３０の屈曲部４０を室外熱交換器７の伝熱管折り曲げ部７２ｂと干渉しない形状にして屈曲部４０を設ければよい。図８Ｂの正面図は室外熱交換器７とモーターサポート３０の位置関係を示す。図８Ｂの正面図に示すように、モーターサポート３０の下部側を垂直方向から斜め方向に配置し、屈曲部４０を設けている。図８Ｂの正面図では屈曲部４０と室外熱交換器７の伝熱管折り曲げ部７２ｂの位置関係が分かりやすいように、羽根４ａの図示を省略し、羽根４ａの外周位置を破線で示す。また、モーターサポート３０に第二の屈曲部４１を設け、下部側を垂直方向から斜め方向に配置し、羽根４ａの外周位置で室外熱交換器７の伝熱管折り曲げ部７２ｂに干渉しない位置に屈曲部４０を設けている。
本実施の形態のように、モーターサポート３０の上下方向のうち、一方が、羽根４ａの外周部と近接するモーターサポート３０の部分が室外熱交換器７の伝熱管折り曲げ部７２ｂと干渉し、屈曲部４０が設けられない場合でも、少なくとも一方に屈曲部４０を設けることで同質の効果を得ることができる。また、図８Ｂで示したように、モーターサポート３０の上下方向の内、一方が、羽根４ａの外周部と近接するモーターサポート３０の部分が室外熱交換器７の伝熱管折り曲げ部７２ｂと干渉し、屈曲部４０が設けられない場合では、モーターサポート３０の屈曲部４０を室外熱交換器７の伝熱管折り曲げ部７２ｂと干渉しない形状にして屈曲部４０を設ければよい。
【００６４】
実施の形態５．
図９Ａ及び図９Ｂは、本発明の実施の形態４に係る空気調和装置の室外ユニット５０の概要構成例を示す図である。実施の形態１では、室外熱交換器７を各々別体の４つの熱交換部７ａ〜７ｄで構成しているが、本実施の形態では室外熱交換器７を８つの熱交換で構成している。図９Ａと図９Ｂとは流入する空気流れに対して熱交換器の折り曲げ方向が空気流れ方向に対して対称な配置となっている。本実施の形態に係る室外ユニット５０は、従来の室外ユニットと比べ、室外熱交換器７を効率よく動作させることができるので、ユニットサイズを大きくすることなく、熱交換器の実装量を増加でき、効率よく室外ユニット５０の性能を向上させることができる。
【００６５】
実施の形態６．
図１０Ａ及び図１０Ｂは、本発明の実施の形態６に係る空気調和装置の室外ユニット５０の概要構成例を示す図である。実施の形態１では、室外熱交換器７を各々別体の４つの熱交換部７ａ〜７ｄで構成しているが、本実施の形態では室外熱交換器７を９つの熱交換で構成している。図１０Ａと図１０Ｂとは流入する空気流れに対して熱交換器の折り曲げ方向が空気流れ方向に対して対称な配置となっている。本実施の形態に係る室外ユニット５０は、従来の室外ユニットと比べ、室外熱交換器７を効率よく動作させることができるので、ユニットサイズを大きくすることなく、熱交換器の実装量を増加でき、効率よく室外ユニット５０の性能を向上させることができる。
【００６６】
本実施の形態のように、モーターサポート３０の上下方向の内、一方が、羽根４ａの外周部と近接するモーターサポート３０の部分が室外熱交換器７の伝熱管折り曲げ部７２ｂと干渉し、屈曲部４０が設けられない場合でも、少なくとも一方に屈曲部４０を設けることで同質の効果を得ることができる。また、図８Ｂで示したように、モーターサポート３０の上下方向の内、一方が、羽根４ａの外周部と近接するモーターサポート３０の部分が室外熱交換器７の伝熱管折り曲げ部７２ｂと干渉し、屈曲部４０が設けられない場合では、モーターサポート３０の屈曲部４０を室外熱交換器７の伝熱管折り曲げ部７２ｂと干渉しない形状にして屈曲部４０を設ければよい。
【００６７】
実施の形態７．
実施の形態１において室外熱交換器７は、熱交換部７ａ〜７ｄが複数接続されて構成され、垂直断面視した形状が波形状となるように熱交換部７ａ〜７ｄを配置したものであった。本実施の形態７における室外熱交換器７は、熱交換部７ａ〜７ｄが複数接続されて構成されている点では実施の形態１と共通しているが、水平断面視した形状が波形状となるように熱交換部７ａ〜７ｄを配置している点で実施の形態１と異なっている。
【００６８】
図１１Ａ〜図１１Ｅは、本発明の実施の形態７に係る空気調和装置の室外ユニット５０の概要構成例を示す図である。なお、図１１Ａは、室外ユニット５０の正面図である。図１１Ｂは、図１１ＡのＡ−Ａ断面図である。図１１Ｃは、室外ユニット５０の背面図である。図１１Ｄは、紙面左側のサイドパネル１ｃ側から室外ユニット５０内部を見た図である。図１１Ｅは、仕切板８側から室外ユニット５０内部を見た図である。ただし、図１１Ｅにおいては、室外熱交換器７、室外ファン４及びモーターサポート３０の位置関係が分かるように、室外ファン４及びモーターサポート３０も図示している。ここで、本実施の形態７では、実施の形態１と同一部分には同一符号とし、実施の形態１との相違点を中心に説明するものとする。また、図１１Ｂに示す白抜き矢印は、室外ユニット５０を流れる空気の流れを示している。
【００６９】
本実施の形態の室外熱交換器７は、図１１Ｂに示すように、供給される空気と冷媒とを熱交換させる４つの熱交換部７ａ〜７ｄを有している。熱交換部７ａ〜７ｄは、熱交換器であり、これらが冷媒配管で接続されて室外熱交換器７を構成している。熱交換部７ａ〜７ｄの間は伝熱管７２で接続する。図１１Ｂの例では、熱交換器の一方の端部をなす熱交換部７ｄに配管同士を接続するＵベンド（図示省略）を接続するＵベンド側伝熱管７２ａを設け、もう一方の端部をなす熱交換部７ａにヘアピン側伝熱管７２ｃを設ける。「熱交換部７ａと熱交換部７ｂ」、「熱交換部７ｂと熱交換部７ｃ」、「熱交換部７ｃと熱交換部７ｄ」は伝熱管折り曲げ部７２ｂを介して接続されている。
【００７０】
熱交換部７ａ〜７ｄは、ケーシング１内において、水平断面視した形状が波形状となるように配置されている。このため、ケーシング１内に設けられる室外熱交換器７の実装体積が増大し、熱交換量を増大させることができる。また、室外熱交換器７は、水平断面形状が波形状であることに対応して、たとえば水平断面形状が直線状やＬ字形状の室外熱交換器と比較すると、室外熱交換器７の通風面積も増大する。このため、室外熱交換器７は、たとえば水平断面形状が直線状やＬ字形状のものと同じ値だけ実装体積を増加させても、増大する通風抵抗を抑制することが可能である。これにより、室外熱交換器７は、室外熱交換器７の実装体積の増大に伴ってファン入力を増大させても、室外熱交換器７の通風抵抗を抑制することができる分、ファン入力を低減することができる。さらに、室外熱交換器７は、実装体積及び通風面積が大きいが、水平断面視した形状が波形状となっているため、コンパクトとなっている。このように、実施の形態７と同様に、室外熱交換器７は、ケーシング１のサイズを大きくすることなく、実装体積及び通風面積を大きくすることができ、室外熱交換器７の熱交換量を高効率に増加させることができるようになっている。
【００７１】
ここで、熱交換部７ａと熱交換部７ｂとの接続角度（第１の角度）、熱交換部７ｂと熱交換部７ｃとの接続角度（第２の角度）、及び熱交換部７ｃと熱交換部７ｄとの接続角度（第３の角度）は、室外熱交換器７を水平断面視したときに鋭角となるように、各熱交換部を接続している。これらの接続角度については同じ角度でなくてもよい。
【００７２】
室外熱交換器７は、熱交換器である熱交換部７ａ〜７ｄが４つ接続されて構成されており、熱交換部７ａ〜７ｄ同士を接続する冷媒配管が曲げられたような形状をしている。室外熱交換器７は、熱交換部７ａと熱交換部７ｂとの接続箇所に対応する伝熱管折り曲げ部７２ｂ（第１の折れ曲がり部）と、熱交換部７ｂと熱交換部７ｃとの接続箇所に対応する伝熱管折り曲げ部７２ｂ（第２の折れ曲がり部）と、熱交換部７ｃと熱交換部７ｄとの接続箇所に対応する伝熱管折り曲げ部７２ｂ（第３の折れ曲がり部）とを有している。このように、室外熱交換器７は、熱交換部７ａ〜７ｄを合計４台有しているため、これに対応して折れ曲がり部が３つ形成されている。すなわち、熱交換部の台数が仮にＮ台（Ｎは２以上の整数）である場合には、折れ曲がり部はＮ−１つ形成されるということである。
【００７３】
また、熱交換部７ａ〜７ｄの室外ファン４側の端部側は、室外ファン４に近接し、室外熱交換器７の通風面積が十分大きくなるように配置されている。熱交換部７ａ〜７ｄは、フィン７１と伝熱管７２で構成されている。図１１Ｂに示すように、フィン７１は、紙面直交方向（垂直方向）に伸びた短冊状の板で、空気が流れるすきまが形成されるように一定の間隔を介して水平方向に複数積層されている。ここで、熱交換部７ａ〜７ｄの構成は、それに限定されるものではなく、フィン７１を垂直方向に複数積層したものであってもよい。フィン７１を垂直方向に積層すると空気流れ方向に対してフィン７１が平行となる。すなわち、フィン７１を垂直方向に積層すると、フィン７１間のすきまが水平方向に拡がっている。このため、室外熱交換器７の通風抵抗を低減することができ、ファン入力を低減することができる。
【００７４】
図１２は、本発明の実施の形態７に係るファンモータ５及びモーターサポート３０の模式図である。実施の形態７に係るモーターサポート３０は、実施の形態１に係るモーターサポート３０を９０度回転させたような構成となっている。支柱３０ａは、図１１Ｂに示すように、ケーシング１のサイドパネル１ｃ側から仕切板８側にかけて、略水平方向に延びるように設けられている。支柱３０ａの一端側はサイドパネル１ｃに固定され、支柱３０ａの他端側は仕切板８に固定されている。支柱３０ａは、支持部３０ｂを介して室外ファン４のファンモータ５を支持している。支持部３０ｂは、図１２に示すように、支柱３０ａに対して略直交するように設けられており、室外ファン４のファンモータ５を支持している。
【００７５】
本実施の形態７では、室外熱交換器７の熱交換部の台数を４つとし、折れ曲がり部の数を３つとした場合を例に説明したが、それに限定されるものではない。たとえば、室外熱交換器７の熱交換部の台数を５つ以上とし、折れ曲がり部の数を４箇所以上としてもよい。この場合、通風抵抗の増加も伴うため、室外熱交換器７の「厚み」を薄くするなど、室外熱交換器７の仕様を適宜選択するとなお良い。また、本実施の形態７では、４つの熱交換部７ａ〜７ｄを別体で構成しているが、熱交換部を一体で製造後、上述の第１〜第３の折れ曲がり部に対応する部分で室外熱交換器７を曲げることで構成してもよい。また、もともと波形状となるように一体で製造してもよい。
【００７６】
＜実施の形態７に係る室外ユニット５０の有する効果＞
本実施の形態７に係る室外ユニット５０では、水平断面視した形状が波形状となるように熱交換部７ａ〜７ｄを配置して室外熱交換器７を構成するようにしたので、実施の形態１に係る室外ユニット５０と同様な効果を奏する
【００７７】
実施の形態８．
図１３Ａ〜図１３Ｄは、実施の形態８に係る空気調和装置の室外ユニット５０の概要構成例を示す図である。本実施の形態８は、実施の形態１、２で説明した室外ユニット５０の室外ファン４に対して改良を加えたものである。図１３Ａは、室外ユニット５０の正面図である。また、図１３Ｂは、図１３ＡにおけるＡ−Ａ断面図である。図１３Ｃは、図１３ＢにおけるＢ−Ｂ側から見た図である。図１３Ｄは、図１３ＢにおけるＣ−Ｃ側から見た断面図である。本実施の形態８において、実施の形態１などで説明した室外ユニット５０と同一部分には同一符号とし、実施の形態１との相違点を中心に説明するものとする。
【００７８】
本実施の形態８に係る室外ファン４の羽根は、図１３Ａに示すように、内周側端部がボス４ｂに接続される内周羽根１０１と、内周羽根１０１の外周側端部に接続される中間リング１００と、内周側端部が中間リング１００に接続される外周羽根１０２とを有している。
【００７９】
内周羽根１０１は、内周側端部がボス４ｂに接続され、外周側端部が中間リング１００に接続されたものである。また、中間リング１００は、平面視形状がリング状の部材であり、内周羽根１０１と外周羽根１０２とを接続して固定するものである。中間リング１００は、羽根の略中間位置（ボス４ｂの外周と外周羽根１０２の外周側端部の略中間位置）に設けられている。外周羽根１０２は、内周側端部が中間リング１００に接続され、外周側端部がベルマウス３に対向するように設けられている。
【００８０】
本実施の形態８では、外周羽根１０２の枚数を内周羽根１０１の枚数より多くして、室外ファン４の空力性能を確保している。また、図１３Ａに示すように、中間リング１００は、その径が支柱３０ａの対向間隔と略同一となっているとともに、支柱３０ａに対向配置されている。
【００８１】
実施の形態１で説明したように、熱交換部７ａ〜７ｄの接続部となる伝熱管折り曲げ部７２ｂ付近では比較的空気が流れにくい。本実施の形態では、風路において、伝熱管折り曲げ部７２ｂに対応して羽根のない中間リング１００を位置させているため、中間リング１００を設けたことに起因する室外ファン４の空力性能の低下を抑制することができる。また、中間リング１００への空気流入がないため、吸い込み空気と中間リング１００との干渉による乱れに起因する騒音増加を抑制することができる。このように、室外ファン４の空力性能の低下、騒音の増加を招くことなく室外ファン４の薄型化、つまりは室外熱交換器７の実装体積を増加させることができる。
【００８２】
また、実施の形態１における室外ファン４は、羽根の幅を狭くし、その分、羽根の枚数を多くして、回転軸方向の厚みが薄くなるように構成している。一方、本実施の形態８に係る室外ファン４は、内周羽根１０１と外周羽根１０２との間に中間リング１００を設けているため、羽根の根元側の強度を向上させることができる。このため、より一層、羽根の幅を狭くすることが可能となり、幅を狭くした分、内周羽根１０１及び外周羽根１０２の枚数を多くすることができる。このため、本実施の形態８に係る室外ファン４は、実施の形態１に係る室外ファン４よりも空気を搬送する能力を低減させることなく、実施の形態１に係る室外ファン４よりも回転軸方向の厚みの薄型化をはかることができる。そして、室外ファン４の羽根の軸方向の厚みをより薄くすることができるため、室外ユニット５０内に室外熱交換器７を実装するスペースが増加し、室外熱交換器７の実装体積を増加させることができる。
【００８３】
ここで、本実施の形態８においては、内周羽根１０１、外周羽根１０２及び中間リング１００を有する羽根の構成としたが、それに限定されるものではない。たとえば、隣接する外周羽根１０２を接続するリング状の部材（外周リング）をさらに設けてもよい。これは図１３Ａのボス４ｂを中心としたとき、この中心から広がる方向（径方向）の外側部分（外周羽根１０２の端部側）を固定するように、外周羽根１０２にリング状の部材を設けるようにしてもよいということである。このような羽根の構成にすることで、羽根の強度をさらに向上させることができる。
【００８４】
＜変形例＞
図１４Ａ及び図１４Ｂは、図１３に示す実施の形態８に係る室外ユニット５０の変形例を示す図である。図１４Ａは、室外ユニット５０の正面図である。図１４Ｂは、図１４ＡのＡ−Ａ断面図である。
【００８５】
上述した図１３の室外ユニット５０は、室外ファン４の羽根が、外周羽根１０２、内周羽根１０１及び中間リング１００を有する態様を、実施の形態１における室外熱交換器７及びモーターサポート３０に対して適用したものであった。図１４の室外ユニット５０は、室外ファン４の羽根が、外周羽根１０２、内周羽根１０１及び中間リング１００を有する態様を、実施の形態２における室外熱交換器７及びモーターサポート３０に対して適用したものである。図１４の構成の室外ユニット５０においても、図１３の態様と同等の効果を得ることができる。
【００８６】
＜実施の形態８に係る室外ユニット５０の有する効果＞
本実施の形態８に係る室外ユニット５０は、実施の形態１、２に係る室外ユニット５０と同様な効果を奏する。さらに、実施の形態８の室外ユニット５０では、内周羽根１０１と外周羽根１０２とを有する羽根とすることで、空力性能の低下、騒音の増加を招くことなく、室外ファン４の薄型化、つまりは室外熱交換器７の実装体積を増加させることができる。
【００８７】
実施の形態９．
図１５は本発明の実施の形態９に係る空気調和装置の構成図である。本実施の形態では、実施の形態１〜８において説明した室外ユニット（室外機）５０を有する空気調和装置について説明する。図１５の空気調和装置は、実施の形態１〜８において説明した室外ユニット５０と室内ユニット（室内機）５５とを冷媒配管で接続して冷媒回路を構成している。冷媒配管のうち、気体の冷媒（ガス冷媒）が流れる配管をガス配管５８とし、液体の冷媒（液冷媒。気液二相冷媒の場合もある）が流れる配管を液配管５９とする。
【００８８】
室外ユニット５０は、本実施の形態においては、圧縮機９、四方弁５１、室外熱交換器７、室外ファン４、絞り装置５２の各機器（手段）で構成する。
【００８９】
圧縮機９は、実施の形態１などで説明したように、吸入した冷媒を圧縮して吐出する。ここで、圧縮機９は、運転周波数を任意に変化させることにより、圧縮機９の容量（単位時間あたりの冷媒を送り出す量）を細かく変化させることができるものとする。四方弁５１は、冷房運転時と暖房運転時とによって冷媒の流れを切り換える。
【００９０】
また、室外熱交換器７は、実施の形態１などで説明したように、冷媒と空気（室外の空気）との熱交換を行う。たとえば、暖房運転時においては蒸発器として機能し、絞り装置５２を介して流入した低圧の冷媒と空気との熱交換を行い、冷媒を蒸発させ、気化させる。また、冷房運転時においては凝縮器として機能し、四方弁５１側から流入した圧縮機９において圧縮された冷媒と空気との熱交換を行い、冷媒を凝縮して液化させる。室外ファン４は実施の形態１などで説明したものと同様である。絞り装置５２は、開度を変化させて、たとえば室内熱交換器５６内における冷媒の圧力を調整（減圧）する。
【００９１】
一方、室内ユニット５５は、室内熱交換器５６及び室内ファン５７を有する。室内熱交換器５６は冷媒と空気との熱交換を行う。たとえば、暖房運転時においては凝縮器として機能し、ガス配管５８から流入した冷媒と空気との熱交換を行い、冷媒を凝縮させて液化（又は気液二相化）させ、液配管５９側に流出させる。一方、冷房運転時においては蒸発器として機能し、絞り装置５２により低圧状態にされた冷媒と空気との熱交換を行い、冷媒に空気の熱を奪わせて蒸発させて気化させ、ガス配管５８側に流出させる。また、室内ユニット５５には、熱交換を行う空気の流れを調整するための室内ファン５７が設けられている。
【００９２】
以上のように空気調和装置を構成して、運転を行うことで、実施の形態１〜８において説明した効果と同様の効果を奏することができる。
【産業上の利用可能性】
【００９３】
前述した実施の形態では、本発明に係る室外ユニットを空気調和装置に適用する場合について説明したが、これに限定するものではない。冷凍装置などの冷凍サイクル装置（ヒートポンプ装置）にも適用することができる。
【符号の説明】
【００９４】
１  ケーシング、１ａ  ベース板、１ｂ  フロントパネル、１ｃ  サイドパネル、１ｄ  天板、１ｅ  リアパネル、２  吹出口、３  ベルマウス、４  室外ファン、４ａ  羽根、４ｂ  ボス、５  ファンモータ、５ａ  シャフト、６  吸込口、７  室外熱交換器、７ａ，７ｂ，７ｃ，７ｄ  熱交換部、８  仕切板、９  圧縮機、１０  機械室、３０  モーターサポート、３０ａ  支柱、３０ｂ  支持部、４０  屈曲部、４１  第二の屈曲部、５０  室外ユニット、５１  四方弁、５２  絞り装置、５５  室内ユニット、５６  室内熱交換器、５７  室内ファン、５８  ガス配管、５９  液配管、７１  フィン、７２  伝熱管、７２ａ  Ｕベンド側伝熱管、７２ｂ  伝熱管折り曲げ部、７２ｃ  ヘアピン側伝熱管、１００  中間リング、１０１  内周羽根、１０２  外周羽根。
【図１Ａ】
0005951117.tif 000002
【図１Ｂ】
0005951117.tif 000003
【図１Ｃ】
0005951117.tif 000004
【図１Ｄ】
0005951117.tif 000005
【図１Ｅ】
0005951117.tif 000006
【図２】
0005951117.tif 000007
【図３Ａ】
0005951117.tif 000008
【図３Ｂ】
0005951117.tif 000009
【図４Ａ】
0005951117.tif 000010
【図４Ｂ】
0005951117.tif 000011
【図４Ｃ】
0005951117.tif 000012
【図５Ａ】
0005951117.tif 000013
【図５Ｂ】
0005951117.tif 000014
【図６Ａ】
0005951117.tif 000015
【図６Ｂ】
0005951117.tif 000016
【図７Ａ】
0005951117.tif 000017
【図７Ｂ】
0005951117.tif 000018
【図８Ａ】
0005951117.tif 000019
【図８Ｂ】
0005951117.tif 000020
【図８Ｃ】
0005951117.tif 000021
【図９Ａ】
0005951117.tif 000022
【図９Ｂ】
0005951117.tif 000023
【図１０Ａ】
0005951117.tif 000024
【図１０Ｂ】
0005951117.tif 000025
【図１１Ａ】
0005951117.tif 000026
【図１１Ｂ】
0005951117.tif 000027
【図１１Ｃ】
0005951117.tif 000028
【図１１Ｄ】
0005951117.tif 000029
【図１１Ｅ】
0005951117.tif 000030
【図１２】
0005951117.tif 000031
【図１３Ａ】
0005951117.tif 000032
【図１３Ｂ】
0005951117.tif 000033
【図１３Ｃ】
0005951117.tif 000034
【図１３Ｄ】
0005951117.tif 000035
【図１４Ａ】
0005951117.tif 000036
【図１４Ｂ】
0005951117.tif 000037
【図１５】
0005951117.tif 000038